【手続補正書】
【提出日】平成27年1月6日(2015.1.6)
【手続補正１】
【補正対象書類名】特許請求の範囲
【補正対象項目名】全文
【補正方法】変更
【補正の内容】
【特許請求の範囲】
【請求項１】
無線送信／受信ユニット（ＷＴＲＵ）にて、復調基準信号（ＤＭ−ＲＳ）のそれぞれの第１および第２のセットを生成するのに用いる第１および第２の識別子を含むシグナリングを受信することと、
無線送信／受信ユニット（ＷＴＲＵ）にて、前記ＷＴＲＵへの協調されたダウンリンク送信がやがて来ることを前記ＷＴＲＵにシグナリングするための情報を受信することと、
前記情報がスクランブリングアイデンティティのための第１の値を含むという条件で、前記協調されたダウンリンク送信を受信するためのＤＭ−ＲＳの第１のセットを生成するのに使用する前記第１の識別子を選択することと、
前記情報が前記スクランブリングアイデンティティのための第２の値を含むという条件で、前記協調されたダウンリンク送信を受信するためのＤＭ−ＲＳの第２のセットを生成するのに使用する前記第２の識別子を選択することと
を備える方法。
【請求項２】
前記ＷＴＲＵに前記第１および第２の識別子を供給することをさらに備える、請求項１の方法。
【請求項３】
前記第１または第２の識別子をそれぞれ使用して生成されたＤＭ−ＲＳの前記第１または第２のセットに少なくとも一部基づいて前記協調されたダウンリンク送信を受信することをさらに備える、請求項１の方法。
【請求項４】
前記第１の識別子およびスクランブリング識別子のための第１の値のどれかに少なくとも一部基づいてＤＭ−ＲＳの前記第１のセットを生成することと、
前記第２の識別子および前記スクランブリング識別子のための第２の値のどれかに少なくとも一部基づいてＤＭ−ＲＳの前記第２のセットを生成することと
をさらに備える、請求項１乃至３のいずれかの方法。
【請求項５】
ＤＭ−ＲＳの前記第１のセットを生成する時、初期化イニシエータへの入力として前記第１の識別子を使用することと、
ＤＭ−ＲＳの前記第２のセットを生成する時、前記初期化イニシエータへの入力として前記第２の識別子を使用することと
をさらに備える、請求項４の方法。
【請求項６】
無線送信／受信ユニット（ＷＴＲＵ）であって、
復調基準信号（ＤＭ−ＲＳ）のそれぞれの第１および第２のセットを生成するのに用いる第１および第２の識別子を含むシグナリングを受信し、
前記ＷＴＲＵへの協調されたダウンリンク送信がやがて来ることを前記ＷＴＲＵにシグナリングするための情報を受信する
ように適合された受信機と、
前記情報がスクランブリングアイデンティティのための第１の値を含むという条件で、前記協調されたダウンリンク送信を受信するためのＤＭ−ＲＳの第１のセットを生成するのに使用する前記第１の識別子を選択し、
前記情報が前記スクランブリングアイデンティティのための第２の値を含むという条件で、前記協調されたダウンリンク送信を受信するためのＤＭ−ＲＳの第２のセットを生成するのに使用する前記第２の識別子を選択する
ように適合されたプロセッサと
を備えたＷＴＲＵ。
【請求項７】
前記ＷＴＲＵはメモリを備え、および前記プロセッサは、前記メモリに前記第１および第２の識別子を供給するように適合される、請求項６のＷＴＲＵ。
【請求項８】
前記受信機は、ＤＭ−ＲＳの前記第１のセットまたはＤＭ−ＲＳの前記第２のセットに少なくとも一部基づいて前記協調されたダウンリンク送信を受信するように適合される、請求項６のＷＴＲＵ。
【請求項９】
前記プロセッサは、
前記第１の識別子およびスクランブリング識別子のための第１の値のどれかに少なくとも一部基づいてＤＭ−ＲＳの前記第１のセットを生成し、
前記第２の識別子およびスクランブリング識別子のための第２の値のどれかに少なくとも一部基づいてＤＭ−ＲＳの前記第２のセットを生成する
ように適合される、請求項６乃至８のいずれかのＷＴＲＵ。
【請求項１０】
前記プロセッサは、
ＤＭ−ＲＳの前記第１のセットを生成する時、初期化イニシエータへの入力として前記第１の識別子を使用し、
ＤＭ−ＲＳの前記第２のセットを生成する時、前記初期化イニシエータへの入力として前記第２の識別子を使用する
ように適合される、請求項９のＷＴＲＵ。
【請求項１１】
無線送信／受信ユニット（ＷＴＲＵ）に、復調基準信号（ＤＭ−ＲＳ）のそれぞれの第１および第２のセットを生成するのに用いる第１および第２の識別子を含むシグナリングを送信することと、
前記ＷＴＲＵに、前記ＷＴＲＵへの協調されたダウンリンク送信がやがて来ることを前記ＷＴＲＵにシグナリングするための情報を送信することと
を備え、
前記情報がスクランブリングアイデンティティのための第１の値を含むという条件で、前記第１の識別子は、前記協調されたダウンリンク送信を受信するための復調基準信号（ＤＭ−ＲＳ）の第１のセットを生成するのに使用するために前記ＷＴＲＵによって選択可能であり、
前記情報が前記スクランブリングアイデンティティのための第２の値を含むという条件で、前記第２の識別子は、前記協調されたダウンリンク送信を受信するためのＤＭ−ＲＳの第２のセットを生成するのに使用するために前記ＷＴＲＵによって選択可能である、方法。
【請求項１２】
前記協調されたダウンリンク送信を送信することをさらに備える、請求項１１の方法。
【請求項１３】
無線送信／受信ユニット（ＷＴＲＵ）に、復調基準信号（ＤＭ−ＲＳ）のそれぞれの第１および第２のセットを生成するのに用いる第１および第２の識別子を含むシグナリングを送信し、
前記ＷＴＲＵに、前記ＷＴＲＵへの協調されたダウンリンク送信がやがて来ることを前記ＷＴＲＵにシグナリングするための情報を送信する
ように適合された複数の送信（Ｔｘ）ポイントを備えたシステムであって、
前記情報がスクランブリング識別子のための第１の値を含むという条件で、前記第１の識別子は、前記協調されたダウンリンク送信を受信するためのＤＭ−ＲＳの第１のセットを生成するのに使用するために前記ＷＴＲＵによって選択可能であり、
前記情報が前記スクランブリング識別子のための第２の値を含むという条件で、前記第２の識別子は、前記協調されたダウンリンク送信を受信するためのＤＭ−ＲＳの第２のセットを生成するのに使用するために前記ＷＴＲＵによって選択可能である、システム。
【請求項１４】
前記複数の送信（Ｔｘ）ポイントは、前記協調されたダウンリンク送信を送信するようにさらに適合される、請求項１３のシステム。
【請求項１５】
前記情報のセットは、アンテナポートインデックスおよび送信ポイントインデックスのいずれかを備える、請求項１の方法、請求項６のＷＴＲＵ、請求項１１の方法または請求項１３のシステム。
【請求項１６】
前記情報は、前記ＷＴＲＵへの協調されたダウンリンク送信がやがて来ることを前記ＷＴＲＵに明示的にシグナリングするための情報を備える、請求項１の方法、請求項６のＷＴＲＵ、請求項１１の方法または請求項１３のシステム。
【請求項１７】
前記情報は、前記ＷＴＲＵへの協調されたダウンリンク送信がやがて来ることを前記ＷＴＲＵに黙示的にシグナリングするための情報を備える、請求項１の方法、請求項６のＷＴＲＵ、請求項１１の方法または請求項１３のシステム。
【請求項１８】
前記情報は、前記協調されたダウンリンク送信に関連付けられたダウンリンク制御チャネルのブラインド検出によって得られた明示的および黙示的信号のいずれかを備える、請求項１の方法、請求項６のＷＴＲＵ、請求項１１の方法または請求項１３のシステム。
【請求項１９】
第１および第２の識別子のそれぞれは、アンテナポートのインデックス、基準信号生成のための初期シーケンスの値、送信モード、および基準信号シーケンスの初期化と共に使用するための識別子のいずれかを備える、請求項１の方法または請求項６のＷＴＲＵ。
【請求項２０】
スクランブリング識別子の第１および第２の値のそれぞれは、物理層より上の層を使用して構成されたスクランブリングアイデンティティ、前記ＷＴＲＵのアイデンティティ、前記ＷＴＲＵのＲＮＴＩ（radio network temporary identifier）、送信ポイントのアイデンティティ、送信（Ｔｘ）ポイントのセルのアイデンティティ、およびＣＩＦ（carrier indicator field）のいずれかの値を備える、請求項１の方法または請求項６のＷＴＲＵ。
【請求項２１】
前記初期化イニシエータは、
【数１】
2014509469.tif 000001
を備え、前記第１の識別子はＸIDであり、ｎs_はスロット番号であり、およびＹIDは前記スクランブリング識別子のための第１の値である、請求項５の方法または請求項１０のＷＴＲＵ。
【請求項２２】
前記初期化イニシエータは、
【数２】
2014509469.tif 000002
を備え、ＸIDは前記第２の識別子であり、ｎs_はスロット番号であり、およびＹIDはスクランブリング識別子のための第２の値である、請求項５の方法または請求項１０のＷＴＲＵ。